【事件の表示】
　平成５年特許願第２３４２７３号「記録装置」拒絶査定不服審判事件〔平成７年３月１０日出願公開、特開平７−６５４９６〕について、次のとおり審決する。
【結　論】
　本件審判の請求は、成り立たない。
【理　由】
１．手続の経緯、本願発明
　
　本願は、平成５年８月２６日の出願であって、その請求項１乃至８に係る発明は、平成１６年２月２３日付けで手続補正が提出された明細書及び図面の記載からみて、その特許請求の範囲の請求項１乃至８に記載されたとおりのものであると認められるところ、請求項１に係る発明（以下、「本願発明」という。）は、次のとおりのものである。
　
「【請求項１】
　記録媒体に情報信号の記録を行うヘッド手段と、
　上記記録媒体を上記ヘッド手段による当該記録媒体に対する情報信号の記録が可能な第１の位置と、当該記録媒体の交換を可能とする第２の位置との間に亘って移動可能に設けられた保持部材と、
　上記保持手段を上記第１の位置でロックするロック手段と、
　上記ロック手段と係合する係合位置と上記ロック手段との係合が解除される係合解除位置との間に亘って移動する係合手段と、
　上記ヘッド手段を上記記録媒体より離間した上方位置に移動させたときには上記係合手段を上記係合位置に移動させることによりイジェクト操作によって上記ロック手段による上記保持部材の上記第１の位置でのロックを解除し、上記ヘッド手段を上記記録媒体に近接する位置に移動させたときには上記係合手段を上記係合解除位置に移動させる制御手段と
を備えることを特徴とする記録装置。」
　
　
２．引用例
　これに対し、前置審査における拒絶の理由で引用された、本願出願前に頒布された刊行物である、特開平１−１８２９５８号公報（以下、「第１引用例」という。）には、図面とともに次の技術事項が記載されている。
（ａ）
「〔産業上の利用分野〕
本発明は回転磁気ディスク（シート）等の記録ディスクを用いる記録再生装置における記録ディスク装填装置に関する。
〔発明の概要〕
本発明は記録再生装置の記録ディスク装填装置であって、記録ディスクを挿入保持するホルダー部材を回転駆動部に対して接離動作させる操作部材を記録再生ヘッドによる記録又は再生動作中は磁気ヘッドの移動部材に連動する係合部材によりロック保持するようにしたことにより、記録ディスクの動作中においてはイジェクト動作が不可能になり、誤イジェクト動作を防止できて記録ディスクの損傷及び装置の構成部材の破損等を防止できるものである。」（１頁右下欄第１行〜１６行）
　
（ｂ）実施例について第１図乃至第９図を参照して
「本例装置はメカシャーシ（１１）にその上面側から上方へカムスライダー（１２）、ホルダー（１３）、パッドプレート（１４）が順次配され両側板（１５）、（１６）により支持されることにより構成される。
　メカシャーシ（１１）には中央部に中央孔（１１ａ）を形成してディスク回転モータ（７）のスピンドル（８）を表出させ、また中央孔（１１ａ）の近傍に窓孔（１１ｂ）を形成して磁気ヘッド（９）が下面側を左右方向に移動されるリニアアーム（１０）に固定されて移動可能に突出するように成されている。また、このメカシャーシ（１１）の下面の前部には係合レバー（１７）が回転可能に軸着されてその後端部（１７ａ）はリニアアーム（１０）の移動部位に臨み、前端部（１７ｂ）はシャーシ前面の横長孔（１１ｃ）から前方へ突出されており、上面の後部には後述する連動機構部材の軸支ピン（１８ａ）、（１８ｂ）が突設されている。
　カムスライダー（１２）には前縁一側部に押片（１２ａ）が前方へ下段状に屈曲して延長形成されてこの押片（１２ａ）の屈曲部後面（１２ａ１）が前記係合レバー（１７）の前端部（１７ｂ）の前端面と対向され、またこのカムスライダー（１２）の後縁には一側寄りにフック状の突き押し片（１２ｂ）が前方へ向けて高い上段状に形成されて、その近傍に係止突子（１９）が突設され、中央寄りに突片（１２ｃ）が後方へ向けて低い上段状に形成されており、両側縁の夫々に前後部には後縁を後方へ低く傾斜する傾斜縁（１２ｄ１）、（１２ｅ１）、（１２ｆ１）、（１２ｇ１）としたカム片（１２ｄ）、（１２ｅ）、（１２ｆ）、（１２ｇ）が直立状に形成され、そして平面部にはメカシャーシ（１１）の中央孔（１１ａ）と窓孔（ｌｌｂ）に夫々対応する中央孔（１２ｈ）と（１２ｉ）が前後方向に長く形成されている。
　ホルダー（１３）には下方に折曲される両側両部（１３ａ）（１３ｂ）の下縁を内方に折曲すると共に両側面部及び下縁折曲部の前縁部を広開状に外方へ傾斜屈曲して磁気ディスク（１）の収容ジャケット（３）を挿入する挿入枠部（１３ｃ）が形成されている。また上面の中央部から一側部にかけてメカシャーシ（１１）の中央孔（ｌｌａ）と窓孔（ｌｌｂ）に連続して対応する窓孔（１３ｄ）が形成されてこの窓孔（１３ｄ）の内端側の近傍にはセンターコア押しレバー（２０）の軸受片（１３ｅ）、（１３ｆ）が、窓孔（１３ｄ）の後方にはロックレバー（２１）の軸支ピン（２２）が夫々設けられ、また後縁部には押し上げレバー（２３）の軸受片（１３ｇ）（１３ｈ）が形成され、更に両側部の前部には上下方向に長い軸挿通孔（１３ｉ１）、（１３ｊ１）を有する軸受片（１３ｉ）、（１３ｊ）が立設され、後部にはフック（１３ｋ）、（１３ｌ）が形成されている。
　パッドプレート（１４）は平面部にメカシャーシ（１１）の窓孔（１１ｂ）と対応してパッド取付１（１４ａ）と大形窓孔（１４ｂ）が形成され、また両側面部の前後にはカムスライダー（１２）のカム片（１２ｄ）、（１２ｅ）、（１２ｆ）、（１２ｇ）に対応してローラ（２４ａ）、（２４ｂ）、（２４ｃ）、（２４ｄ）が軸支されており、前縁の略中央部には係合軸受片（１４ｃ）が突設されている。
　また両側板（１５）及び（１６）の前後部にはメカシャーシ（１１）に固定する固定部（１５ａ）、（１５ｂ）及び（１６ａ）（１６ｂ）が形成され、また、ローラ（２４ａ）、（２４ｂ）及び（２４ｃ）、（２４ｄ）の上下方向の案内部（１５ｃ）、（１５ｄ）及び（１６ｃ）、（１６ｄ）が形成されている。
　そしてメカシャーシ（１１）の軸支ピン（１８ａ）にはジャケット（ケース）（３）の押し出しレバー（２５）がカムスライダー（１２）の上面側に位置して軸支され、この押し出しレバー（２５）は管状軸支部（２５ａ）を中心として略く字状で一半部の端部にカムスライダー（１２）の係合突子（１９）に摺接する円弧状摺接面（２５ｂ）とこの摺接面（２５ｂ）に対して略直角で外側から当接する係止突部（２５ｃ）が形成され、他半部側はメカシャーシの中央近傍に達するように延長されてその端部に押圧突子（２５ｄ）が立設されている。また中心軸支部（２５ａ）にはトーションスプリング（２６）のコイル部が嵌挿され、その一端（２６ａ）は係止突部（２５ｃ）側に形成された係合部（２５ｅ）に係合させると共に他端（２６ｂ）を一方の側板（１５）に形成された係合部（１５ｅ）に係合させることにより押し出しレバー（２５）は池半部が常時前方、即ちメカシャーシ（１１）の中央部方向へ回動するように偏倚されている。また軸支ピン（１８ｂ）には略Ｔ字状の押圧レバー（２７）が回動自在に軸支されて水平辺部の一端には当接突子（２７ａ）が下向きに立設されてカムスライダー（１２）の突辺（１２ｃ）に対応され、他端の前縁には突起（２７ｂ）が形成されてホルダー（１３）に軸支される押上げレバー（２３）に対応されており、また垂直辺部（２７ｃ）は、軸支ビン（１８）の近傍に位置するスプリング支持ピン（２８）に形成された突縁（２８ａ）に当接して回動範囲を規制するように成されている。
　スプリング支持ピン（２８）にはトーションスプリング（２９）のコイル部が嵌挿されて一端（２９ａ）をカムスライダー（１２）の後端に形成された係合部（１２ｈ）に係合させ、他端部（２９ｂ）を他方の側板（１６）に形成した係合部（１６ｅ）に係合させることによりカムスライダー（１２）を常時前方へ摺動させるように偏倚させている。
　なお、メカシャーシ（１１）にはカムスライダー（１２）の前方及び後方の摺動を規制するために前端及び後部に規制ピン（１１ｄ）及び（１１ｅ）を突設してある。
　また、ホルダー（１３〉には軸受片（１３ｅ）、（１３ｆ）においてセンターコア押しレバー（２０）が窓孔（１３ｄ）に対応して上下方向に回動可能に軸支され、このレバー（２０）は基部の両側面に後部にテーパー面（２０ａ１）、（２０ｂ１）を有する軸突子（２０ａ）、（２０ｂ）が突設され一方、自由端部側下面にはジャケット（３）の開口（４ａ）から表出するセンターコア（２）に当接する突子（２０ｃ）、（２０ｄ）が突設され、また自由端部から前方へアーム部（２０ｅ）が延設されてその先端に押上げ面部（２０ｆ）が形成され、この押上げ面部（２０ｆ）の側縁に更に押上げアーム（２０ｇ）が突設されている。そしてこのセンターコア押しレバー（２０）は板ばね部材（３０）により常時下圧される。
　この板ばね部材（３０）は基端部（３０ａ）の中央部から押圧ばね片（３０ｂ）が延長され、また両側部から折曲弾性支持片（３０ｃ）、（３０ｄ）が延長されており、この折曲弾性支持片（３０ｃ）、（３０ｄ）の先端は外方へ広開状に屈曲し中央部の下縁側には切欠凹部（３０ｅ）、（３０ｆ）を形成しである。そしてこの板ばね部材（３０）は基端部（３９ａ）をホルダー（１３）の軸受片（１３ｅ）、（１３ｆ）の後方に位置して固定し、両折曲弾性支持片（３０ｃ）、（３０ｄ）を軸受片（１３ｅ）、（１３ｆ）の側面に当接させ、この状態で両輪受片（１３ｅ）、（１３ｆ）に前方に開放して形成した係合凹部（１３ｅ１）、（１３ｆ１）と折曲弾性支持片（３０ｃ）、（３０ｄ）の切欠凹部（３０ｅ）、（３０ｆ）とにより軸孔が形成されることになる。この軸孔にセンターコア押しレバー（２０）の軸突子（２０ａ）、（２０ｂ）を挿通係合するが、この挿通係合は、軸受片（１３ｅ）、（１３ｆ）の前方から両軸突子（２０ａ）、（２０ｂ）を板ばね部材（３０）の折曲弾性支持片（３０ｃ）、（３０ｄ）の先端広間屈曲部に当接し、この状態で押込むと両折曲弾性支持片（３０ｃ）、（３０ｄ）は押し開かれて両軸突子（２０ａ）、（２０ｂ）は両軸受片（１３ｅ）、（１３ｆ）の係合凹部（１３ｅ１）、（１３ｆ１）に挿入され、この奥端部まで挿入されると折曲弾性支持片（３０ｃ）、（３０ｄ）の切欠凹部（３０ｅ）、（３０ｆ）に対応することになる。このため折曲弾性支持片（３０ｃ）、（３０ｄ）はその偏倚力により軸受片（１３ｅ）、（１３ｆ）に当接して軸突子（２０ａ）、（２０ｂ）を軸受片（１３ｅ）、（１３ｆ）と共に支持、即ち切欠凹部（３０ｅ）、（３０ｆ）と係合凹部（１３ｅ１）、（１３ｆ１）との軸方向の重合により軸孔が形成されることになって軸突子（２０ａ）、（２０ｂ）は軸支されてセンターコア押しレバー（２０）は軸受片（１３ｅ）、（１３ｆ）に対して起伏回動可能となり、この状態で板ばね部材（３０）の押圧ばね片（３０ｂ）により弾性的に下圧され常時下動偏倚される。
　また、ホルダー（１３）に軸支ピン（２２）において軸支されるロックレバ−（２１）は、フック状に形成されてその中央部が軸支され、一端部（２１ａ）はセンターコア押しレバー（２０）の押上げ面部（２０ｆ）に対応されて係合突子（３１）が立設されており、他端部（２１ｂ）には前述した押し出しレバー（２５）の他半部の前方への回動時に押圧突子（２５ｄ）が突当る当接部（２１ｂ１）が形成されている。そしてロックレバ−（２１）は一端部（２１ａ）が常時センターコア押しレバー（２０）の押上げ面部（２０ｆ）の下側へ移動偏倚されるようにトーションスプリング（３２）により回動偏倚されており、この回動は一端部（２１ａ）の側縁に形成した係止片（２１ａｌ）がホルダー（１３）の上面に設けられた規制窓孔（１３ｍ）内で移動できる範囲内で行われる。
　更にホルダー（１３）の後縁部の軸受片（１３ｇ）、（１３ｈ）に軸支される押上げレバー（２３）は軸受１（２３ａ）から前方へ略水平に押上げ片（２３ｂ）が延設されて先端部が前述したセンターコア押しレバー（２０）の押上アーム（２０ｇ）の下側に位置され、また軸支部（２３ａ）の後部から下方へ略垂直で一側方向へ延長して当接片（２３ｃ）が形成されてその後面が前述した押圧レバー（２７）の突起（２７ｂ）とカムスライダー（１２）の突き出し片（１２ｂ）に対応させる。なお、この場合当接片（２３ｃ）に対してカムスライダー（１２）の突き押し片（１２ｂ）はホルダー（１３）が後述するように下降された状態で対応される。
　パッドプレート（１４）のパッド取付部（１４ａ）の内面側には図示せざるもメカシャーシ（１１）側の磁気ヘッド（９）と対応してパッド部材が取付けられる。
　以上のように各部材が備えられたメカシャーシ（１１）、カムスライダー（１２）、ホルダー（１３）及びパッドプレート（１４）にはメカシャーシ（１１）に両側板（１５）、（１６）を固着した状態で前述した各部材との対応関係に設定して順次配置するが、この配置に際してホルダー（１３）の両側面の前部に立設した軸受部（１３ｉ）、（１３ｊ）をパッドプレート（１４）の前側部のスリット孔（１４ｄ）、（１４ｅ）に挿通し、また後部のフック（１３ｋ）、（１３ｌ）を後側部の受け片（１４ｆ）、（１４ｇ）に係合する。そしてホルダー（１３）の軸受片（１３ｉ）、（１３ｊ）の軸挿通孔（１３ｉ１）、（１３ｊ１）に中央部に屈曲部（３３ａ）を有する連結軸（３３）を挿通して屈曲部（３３ａ）にパッドプレート（１４）の前縁の係合片（１４ｃ）を下側から係合することによりホルダー（１３）とパッドプレート（１４）とを上下に連結する。
　このように連結されたホルダー（１３）とバンドプレート（１４）をメカシャーシ（１１）に対して前述した如く前後方向に所定範囲で摺動可能なカムスライダー（１２）上に載置してパッドプレート（１４）の両側面のローラ（２４ａ）、（２４ｂ）及び（２４ｃ）、（２４ｄ）をカム片（１２ｄ）、（１２ｅ）及び（１２ｆ）、（１２ｇ）上に対応させると共に各カム片を両側板（１５）及び（１６）の上下方向の案内部（１５ｃ）、（１５ｄ）及び（１６ｃ）、（１６ｄ）に対応させる。そして両側板（１５）、（１６）の前部下部とホルダー（１３）の両側部に突設した係合片（１３ｎ）、（１３ｏ）との間及び後部下部とパッドプレート（１４）の両側部に形成した係合孔（１４ｈ）、（１４ｉ）との間に引張りコイルスプリング（３４ａ）、（３４ｂ）及び（３４ｃ）、（３４ｄ）を架張して下降偏倚させ、ローラ（２４ａ）、（２４ｂ）及び（２４ｃ）、（２４ｄ）をカムスライダー（１２）のカム片（１２ｄ）、（１２ｅ）及び（１２ｆ）、（１２ｇ）に転接させる。
　なお、パッドプレート（１４）の側部には下降調節ねじ（３５ａ）、（３５ｂ）が螺挿されてメカシャーシ（１１）の側部に突設した基準ピン（３６ａ）、（３６ｂ）に軸方向に対応させてある。
　このようにしてメカシャーシ（１１）に対してカムスライダー（１２）、ホルダー（１３）、パッドプレート（１４）を組付け、この状態でカムスライダー（１２）の押片（１２ａ）の屈曲部後面（１２ａ１）がメカシャーシ（１１）の前面に突出される係合レバー（１７）の前端部（１７ｂ）の前端面と対向される。」（３頁左上欄第１９行〜５頁右下欄第１２行）
　
（ｃ）動作について
「先ず、非動作状態ではヘッド（９）を固定したリニアアーム（１０）はメカシャーシ（１１）の下面側の外側部、即ち待機部に位置しており、この状態で係合レバー（１７）は後端部（１７ａ）がリニアアーム（１０）に係合して押圧され所要角度まで回動されて保持され、前端部（１７ｂ）はカムスライダー（１２）の押片（１２ａ）の屈曲部後面（１２ａ１）に対向されず、そのためカムスライダー（１２）は後方へ摺動可能状態にある（第２図二点鎖線）。
　そして磁気ディスク（１）を収容したジャケット（ケース）（３）の非装填状態では第３図及び第４図に示す如くジャケット押し出しレバー（２５）はトーションスプリング（２６）の偏倚力により前方へ回動されており、この状態でトーションスプリング（２９）の偏倚力に抗して後方へ摺動されているカムスライダー（１２）は係合突子（１９）が押し出しレバー（２５）の摺接面（２５ｂ）と係止突部（２５ｃ）との間に係合されてロックされている。この状態で押圧レバー（２７）は一端の当接突子（２７ａ）がカムスライダー（１２）の突片（１２ｃ）によりトーションスプリング（図示せず）の偏倚力に抗して回動されて他端の突起（２７ｂ）が押上げレバー（２３）の当接片（２３ｃ）を押し、このため押上げレバー（２３）は軸支部（２３ａ）を中心として回動され、押上げ片（２３ｂ）が起上される。これによりセンターコア押しレバー（２０）は押上げアーム（２０ｇ）を介し板ばね部材（３０）の押圧ばね片（３０ｂ）の偏倚力に抗して扛上回動され、この状態で押上げ面部（２０ｆ）の下側に、トーションスプリング（３２）により回動偏倚されているロックレバー（２１）の一端部（２１ａ）が挿入されて係合突子（３１）が側縁に当接されている。
　このようにして、カムスライダー（１２）が後方へ摺動されてロック保持された状態においてはカム片（１２ｄ）、（１２ｅ）、（１２ｆ）、（１２ｇ）がパッドプレート（１４）のローラ（２４ａ）、（２４ｂ）、（２４ｃ）、（２４ｄ）に高位縁において当接され、このためパッドプレート（１４）はホルダー（１３）と一体的に引張りコイルスプリング（３４ａ）、（３４ｂ）、（３４ｃ）、（３４ｄ）の偏倚力に抗して扛上されており、この状態でホルダー（１３）のジャケット挿入枠部（１３ｃ）内にジャケット押し出しレバー（２５）の押圧突子（２５ｄ）が臨んでいる。
　そこで磁気ディスクジャケット（３）の、ホルダー（１３）のジャケット挿入枠部（１３ｃ）に対する挿入を開始すると、ジャケット（３）の後端面が押し出しレバー（２５）の押圧突子（２５ｄ）に突当り、更に挿入を持続することにより押し出しレバー（２５）はトーションスプリング（２６）の偏倚力に抗して回動され、ジャケット（３）が奥端まで挿入されると押し出しレバー（２５）は大きく回動されてこのため摺接面（２５ｂ）がカムスライダー（１２）の係合突子（１９）から離れカムスライダー（１２）のロックが解除される。
（中略）
　このようにしてカムスライダー（１２）はロックが解除されることによりトーションスプリング（２９）の偏倚力で前方へ摺動され、この摺動により押圧レバー（２７）は突片（１２ｃ）による押圧が解除されてトーションスプリングにより回動されて押上げレバー（２３）から離れ、このため押上げレバー（２３）は回動自在となってセンターコア押しレバー（２０）の押上を解除、即ちロックを解除することになる。
　これによりセンターコア押しレバー（２０）は押圧ばね片（３０ｂ）の偏倚力により下動されて、突子（２０ｃ）、（２０ｄ）が窓孔（１３ｄ）を通してジャケット（３）の開口（４ａ）からセンターコア（２）を押圧する。
　この動作時、即ちカムスライダー（１２）の前方への摺動によりカム片（１２ｄ）、（１２ｅ）、（１２ｆ）、（１２ｇ）はパッドプレート（１４）のローラ（２４ａ）、（２４ｂ）、（２４ｃ）、（２４ｄ）にその後側傾斜縁（１２ｄ１）、（１２ｅ１）、（１２ｆ１）、（１２ｇ１）が対応することになるため、ホルダー（１３）とパッドプレート（１４）とは一体的に引張りコイルスプリング（３４ａ）、（３４ｂ）、（３４ｃ）、（３４ｄ）の偏倚力により下降され、ジャケット（３）も共に下降されてセンターコア（２）がカムスライダー（１２）の中央孔（１２ｈ）から突出状態にあるスピンドル（８）に対応され、このセンターコア（２）は前述の如くセンターコア押しレバー（２０）に押圧されることによりスピンドル（８）に押し込まれる。
　このホルダー（１３）とパッドプレート（１４）との下降は調節ねじ（３５ａ）、（３５ｂ）とメカシャーシ（１１）側の基準ピン（３６ａ）、（３６ｂ）との当接により規制されてこの当接後はカムスライダー（１２）の前方への摺動に関係なく所定位置に保持される。
　そしてカムスライダー（１２）が更に前方へ摺動されることにより突き押し片（１２ｂ）が押上げレバー（２３）の当接片（２３ｃ）を前方へ大きく押圧し、このため押上げレバー（２３）は回動されて押上げ片（２３ｂ）は起上される。この起上量は前述した初期起上量よりも大きく、これによりセンターコア押しレバー（２０）も押上げアーム（２０ｇ）を介して高く扛上されて下側にロックレバ−（２１）が更に深く入り込み、押上げ面部（２０ｆ）の下面側に係合突子（３１）が対応されてセンターコア押しレバー（２０）はロック状態にあり、この状態でカムスライダー（１２）を後方へ中途半端に摺動、即ち後述するイジェクト動作に至らない範囲で摺動させてもロックレバ−（２１）が回動されない限りロック状態は持続される。
　このようにしてセンターコア押しレバー（２０）が高く扛上されると突子（２０ｃ）、（２０ｄ）がセンターコア（２）から離隔され、センターコア（２）、即ち磁気ディスク（１）は何等の抵抗を受けることなくスピンドル（８）により回転され、磁気ヘッド（９）がリニアアーム（１０）により移動されながら摺接することによって記録又は再生が行われる。
　この際、ロックレバ−（２１）の他端部（２１ｂ）の当接部（２１ｂ１）は押し出しレバー（２５）の押圧突子（２５ｄ）の移動軌跡上に臨んでおり、またカムスライダー（１２）の係合突子（１９）は押し出しレバー（２５）の一半部の内側縁に当接された状態にある。
　そして、リニアアーム（１０）の移動により係合レバー（１７）は後端部（１７ａ）の押圧が解除されることにより回動復帰されて前端部（１７ａ）の前端面が前方へ摺動状態にあるカムスライダー（１２）の押片（１２ａ）の屈曲部後面（１２ａ１）に対向して当接係合される。このためカムスライダー（１２）は後方へ摺動することができず、即ちロック状態となって記録又は再生動作中の誤イジェクト動作が完全に防止される。
　この記録再生動作後、磁気ヘッド（９）を固定したリニアアーム（１０）は待機位置に戻るため係合レバー（１７）は後端部（１７ａ）が押圧されて回動され、前端部（１７ｂ）がカムスライダー（１２）の押片（１２ａ）の屈曲部後面（１２ａ１）から離隔される。これによりカムスライダー（１２）は後方へ摺動可能状態となる。
　そこでジャケット（３）を取出すイジェクト動作はカムスライダー（１２）をその押片（１２ａ）に取付けた釦（３７）を強く押圧し、トーションスプリング（２９）の偏倚力に抗して後方へ摺動させると、カム片（１２ｄ）、（１２ｅ）、（１２ｆ）、（１２ｇ）がローラ（２４ａ）、（２４ｂ）、（２４ｃ）、（２４ｄ）を介してホルダー（１３）と一体的にパッドプレート（１４）を引張りコイルスプリング（３４ａ）、（３４ｂ）、（３４ｃ）、（３４ｄ）の偏倚力に抗して押上げる。一方、突き押し片（１２ｂ）が押上げレバー（２３）の当接片（２３ｈ）より後方へ離れるため押上げレバー（２３）は可動自在となり、押上げ片（２３ｂ）によるセンターコア押しレバー（２０）の押上げが解除される。この状態ではセンターコア押しレバー（２０）の押上げ面部（２０ｆ）の下面側にロックレバ−（２１）の係合突子（３１）が位置し、突き上げているためセンターコア押しレバー（２０）は扛上位置でロックされた状態にあり、センターコア（２）に対して下圧力は作用されず、センターコア（２）はホルダー（１３）の押上げ動作によりスピンドル（８）から容易に抜脱される。
　そしてカムスライダー（１３）が後方終端まで摺動されると係合突子（１９）は押し出しレバー（２５）の一半部の内側縁から離れ、このため押し出しレバー（２５）はトーションスプリング（２６）の偏倚力により前方へ回動を開始する。この際、カムスライダー（１２）の突片（１２ｃ）が押圧レバー（２７）を押して回動させ、押上げレバー（２３）の押上げ片（２３ｂ）を起上させた状態に保持する。
　この状態で押し出しレバー（２５）が回動することにより押圧突子（２５ｄ）がジャケット（３）を押し、ホルダー（１３）の挿入枠部（１３ｃ）内を前方へ移動させ、この押し出しレバー（２５）の回動途中において、ロックレバ−（２１）の当接部（２１ｂ１）に押圧突子（２５ｄ）が突き当り、このためロックレバ−（２１）はトーションスプリング（３２）の偏倚力に抗して回動されて係合突子（３１）がセンターコア押しレバー（２０）の押上げ面部（２０ｆ）の下面側から離れる。この動作によりセンターコア押しレバー（２０）はロックが解除されることになるが、前述した如く押上げレバー（２３）は押上げ片（２３ｂ）が起上するように回動保持されているのでこの押上げ片（２３ｂ）に押上げアーム（２０ｇ）が当接して扛上状態で保持され、即ち初期ストロークに戻り、突子（２０ｃ）、（２０ｄ）がジャケット（３）から離隔されてジャケット（３）の押し出し移動は支障なく行われる。
　このようにして押し出しレバー（２５）は回動され係止突部（２５ｃ）がカムスライダー（１２）の係合突子（１９）に突き当ることにより回動が停止され、この状態でジャケット（３）は押し出されることになり、一方カムスライダー（１２）は後端まで摺動された状態で係合突子（１９）が押し出しレバー（２５）の摺接面（２５ｂ）と係止突部（２５ｃ）との間に係合されることによりロックされて全体的に初期の状態に戻る。」（５頁右下欄第１６行〜８頁左上欄第１８行）
　
　上記記載事項及び図面を総合勘案すると、上記第１引用例には、結局、次の発明が記載されている（以下、「引用発明」という）。
「メカシャーシ（１１）にカムスライダー（１２）、ホルダー（１３）、パッドプレート（１４）が順次配され両側板（１５）、（１６）により支持されることにより構成され、
　メカシャーシ（１１）には中央部に中央孔（１１ａ）を形成してディスク回転モータ（７）のスピンドル（８）を表出させ、また中央孔（１１ａ）の近傍に窓孔（１１ｂ）を形成して磁気ヘッド（９）が下面側を左右方向に移動されるリニアアーム（１０）に固定されて移動可能に突出するように成され、また、下面の前部には係合レバー（１７）が回転可能に軸着されてその後端部（１７ａ）はリニアアーム（１０）の移動部位に臨み、
　カムスライダー（１２）には、前縁一側部に形成された押片（１２ａ）の屈曲部後面（１２ａ１）が前記係合レバー（１７）の前端部（１７ｂ）の前端面と対向され、また後縁には一側寄りにフック状の突き押し片（１２ｂ）とその近傍に係止突子（１９）が突設され、中央寄りに突片（１２ｃ）が後方へ向けて低い上段状に形成されており、両側縁の夫々に前後部には後縁を後方へ低く傾斜する傾斜縁（１２ｄ１〜１２ｇ１）としたカム片（１２ｄ〜１２ｇ）が直立状に形成され、
　ホルダー（１３）には、センターコア押しレバー（２０）、ロックレバー（２１）、押し上げレバー（２３）が軸支されるとともに、前記センターコア押しレバー（２０）を常時下圧する板ばね部材（３０）が取り付けられ、
　パッドプレート（１４）には、カムスライダーのカム片と対応するローラ（２４ａ〜２４ｄ）が軸支され、
　メカシャーシに固定される両側板（１５，１６）には、前記ローラの案内部が形成され、
　非動作状態ではヘッド（９）を固定したリニアアーム（１０）はメカシャーシ（１１）の下面側の外側部、即ち待機部に位置しており、この状態で係合レバー（１７）は後端部（１７ａ）がリニアアーム（１０）に係合して押圧され所要角度まで回動されて保持され、前端部（１７ｂ）はカムスライダー（１２）の押片（１２ａ）の屈曲部後面（１２ａ１）に対向されず、そのためカムスライダー（１２）は後方へ摺動可能状態にあり、
　磁気ディスク（１）を収容したジャケット（ケース）（３）の非装填状態では、ジャケット押し出しレバー（２５）は前方へ回動されており、この状態で後方へ摺動されているカムスライダー（１２）は係合突子（１９）が押し出しレバー（２５）の摺接面（２５ｂ）と係止突部（２５ｃ）との間に係合されてロックされ、カム片（１２ｄ〜１２ｇ）がパッドプレート（１４）のローラ（２４ａ〜２４ｄ）に高位縁において当接され、このためパッドプレート（１４）はホルダー（１３）と一体的に扛上されており、
　磁気ディスクジャケット（３）をホルダに挿入すると、押し出しレバー（２５）が回動されて、摺接面（２５ｂ）がカムスライダーの係合突子（１９）から離れ、カムスライダー（１２）のロックが解除され、カムスライダー（１２）はトーションスプリング（２９）の偏倚力で前方へ摺動され、この摺動により押圧レバー（２７）は突片（１２ｃ）による押圧が解除されて押上げレバー（２３）から離れ、このため押上げレバー（２３）は回動自在となってセンターコア押しレバー（２０）の押上を解除し、これによりセンターコア押しレバー（２０）は押圧ばね片（３０ｔ）の偏倚力により下動されて、ジャケット（３）の開口（４ａ）からセンターコア（２）を押圧し、
　カムスライダー（１２）の前方への摺動によりカム片（１２ｄ〜１２ｇ）はパッドプレート（１４）のローラ（２４ａ〜２４ｄ）にその後側傾斜縁が対応して、ホルダー（１３）とパッドプレート（１４）とは一体的に引張りコイルスプリング（３４ａ〜３４ｄ）の偏倚力により下降され、ジャケット（３）も共に下降されてセンターコア（２）がカムスライダー（１２）の中央孔（１２ｈ）から突出状態にあるスピンドル（８）に対応され、このセンターコア（２）はセンターコア押しレバー（２０）に押圧されることによりスピンドル（８）に押し込まれ、この下降は調節ねじ（３５ａ）、（３５ｂ）とメカシャーシ（１１）側の基準ピン（３６ａ）、（３６ｂ）との当接により規制されてこの当接後はカムスライダー（１２）の前方への摺動に関係なく所定位置に保持され、
　リニアアーム（１０）の移動により係合レバー（１７）は後端部（１７ａ）の抑圧が解除されることにより回動復帰されて前端部（１７ａ）の前端面が前方へ摺動状態にあるカムスライダー（１２）の押片（１２ａ）の屈曲部後面（１２ａ１）に対向して当接係合されてカムスライダー（１２）は後方へ摺動することができず、即ちロック状態となって記録又は再生動作中の誤イジェクト動作が完全に防止される、
　回転磁気ディスク（シート）等の記録ディスクを用いる記録再生装置における記録ディスク装填装置。」
　
　
３．対　比
　本願発明と引用発明とを対比する。
　引用発明の「回転磁気ディスク（シート）等の記録ディスクを用いる記録再生装置」は、本願発明の「記録装置」に相当する。
　引用発明の「磁気ヘッド」は、本願発明の「ヘッド手段」に相当する。
　引用発明の「ホルダー」は、本願発明の「保持部材」に相当する。
　引用発明の前記「ホルダー」について、ジャケット非装填状態で、パッドプレートともにカムスライダーのカム片の高位縁において当接されてジャケットの挿入される位置は、本願発明の「第２の位置」に相当する。また、引用発明において、ジャケット挿入によりカムスライダー（１２）が前方へ摺動し、ホルダー（１３）とパッドプレート（１４）とが一体的に引張りコイルスプリング（３４ａ〜３４ｄ）の偏倚力により下降した位置は、ジャケット（３）も共に下降されてセンターコア（２）がカムスライダー（１２）の中央孔（１２ｈ）から突出状態にあるスピンドル（８）に対応され、このセンターコア（２）はセンターコア押しレバー（２０）に押圧されることによりスピンドル（８）に押し込まれ、記録再生が行われる位置であるから、本願発明の「第１の位置」に相当する。
　引用発明では、ジャケット挿入に際して、ジャケットの後端面が押し出しレバー（２５）をトーションスプリング（２６）の偏倚力に抗して回動し、ジャケットが奥端まで挿入されると押し出しレバーは大きく回動されてこのため摺接面（２５ｂ）がカムスライダー（１２）の係合突子（１９）から離れカムスライダー（１２）のロックが解除され、カムスライダー（１２）はロックが解除されることによりトーションスプリング（２９）の偏倚力で前方へ摺動され、カム片（１２ｄ〜１２ｇ）はパッドプレート（１４）のローラ（２４ａ〜２４ｄ）にその後側傾斜縁が対応して、ホルダー（１３）とパッドプレート（１４）とは一体的に引張りコイルスプリング（３４ａ〜３４ｄ）の偏倚力により下降され、ジャケット（３）も共に下降されてセンターコア（２）がカムスライダー（１２）の中央孔（１２ｈ）から突出状態にあるスピンドル（８）に対応され、このセンターコア（２）はセンターコア押しレバー（２０）に押圧されることによりスピンドル（８）に押し込まれることとなる。ここで、前記ホルダー（１３）とパッドプレート（１４）との下降は調節ねじ（３５ａ）、（３５ｂ）とメカシャーシ（１１）側の基準ピン（３６ａ）、（３６ｂ）との当接により規制され、当接後はカムスライダー（１２）の前方への摺動に関係なく所定位置に保持されるのであるから、結局のところ、カムスライダー（１２）、押し出しレバー（２５）、トーションスプリング（２６）、パッドプレート（１４）、調節ねじ（３５ａ）、（３５ｂ）及び基準ピン（３６ａ）、（３６ｂ）は、協働してホルダー（１３）を本願発明における前記「第１の位置」に相当する下降位置に保持する機構を形成する点において、本願発明の「ロック手段」と共通している。
　引用発明において、係合レバー１７は、リニアアーム１０が非動作状態ではメカシャーシ（１１）の下面側の外側部、即ち待機部に位置しており、後端部（１７ａ）がリニアアーム（１０）に係合して押圧され所要角度まで回動されて保持され、前端部（１７ｂ）はカムスライダー（１２）の押片（１２ａ）の屈曲部後面（１２ａ１）に対向されず、そのためカムスライダー（１２）は後方へ摺動可能状態にあるのに対し、一方、動作状態では、リニアアーム（１０）の移動により係合レバー（１７）は後端部（１７ａ）の押圧が解除されることにより回動復帰されて前端部（１７ａ）の前端面が前方へ摺動状態にあるカムスライダー（１２）の押片（１２ａ）の屈曲部後面（１２ａ１）に対向して当接係合されてカムスライダー（１２）は後方へ摺動することができない状態となるものである。すると、引用発明の「係合レバー」は、ホルダー（１３）を下降位置に保持する機構と係合する位置と係合が解除される位置とを移動する点において、本願発明の「係合手段」と共通している。
　引用発明において、前記リニアアーム１０が、非動作状態でメカシャーシ（１１）の下面側の外側部、即ち待機部に位置していることは、記録媒体より離間した位置にあることに他ならない。前記非作動状態では、係合レバー（１７）は、その前端部（１７ｂ）はカムスライダー（１２）の押片（１２ａ）の屈曲部後面（１２ａ１）に対向されず、そのためカムスライダー（１２）は後方へ摺動可能状態にあるので、イジェクト操作によってホルダー（１３）を下降位置に保持する機構に対して、同保持を解除することができることとし、一方、前記リニアアーム１０の動作状態では、前記係合レバー（１７）の前端部（１７ａ）の前端面が前方へ摺動状態にあるカムスライダー（１２）の押片（１２ａ）の屈曲部後面（１２ａ１）に対向して当接係合することは、本願発明の「制御手段」が、「上記ヘッド手段を上記記録媒体より離間した上方位置に移動させたときには上記係合手段を上記係合（イジェクト操作可能な）位置に移動させることによりイジェクト操作によって上記ロック（ホルダーを下降位置に保持する機構）による上記保持部材の上記第１の位置での（保持）を解除し、上記ヘッド手段を上記記録媒体に近接する位置に移動させたときには上記係合手段を上記係合解除（イジェクト操作不可の）位置に移動させる」ことと共通している。
　
　そうすると、本願発明と引用発明とは次の点で一致する。
　一致点
「記録媒体に情報信号の記録を行うヘッド手段と、
　上記記録媒体を上記ヘッド手段による当該記録媒体に対する情報信号の記録が可能な第１の位置と、当該記録媒体の交換を可能とする第２の位置との間に亘って移動可能に設けられた保持部材と、
　上記保持手段を上記第１の位置で（保持する）手段と、
　上記（保持する）手段と係合する係合位置と上記（保持する）手段との係合が解除される係合解除位置との間に亘って移動する係合手段と、
　上記ヘッド手段を上記記録媒体より離間した位置に移動させたときには上記係合手段を（イジェクト可能な）位置に移動させることによりイジェクト操作によって上記ロック手段による上記保持部材の上記第１の位置でのロックを解除し、上記ヘッド手段を上記記録媒体に近接する位置に移動させたときには上記係合手段を（イジェクト不可の）位置に移動させる手段と
を備えることを特徴とする記録装置。」
　
　一方、次の点で相違する。
（相違点１）
　本願発明の保持手段は第１の位置で「ロック」されるのに対し、引用発明のホルダーは、下降位置において保持される点。
（相違点２）
　本願発明においては、ヘッド手段を記録媒体より離間させる際には「上方位置」に移動させるのに対し、引用発明においては「メカシャーシの外側部、すなわち待機部」に位置される点。
（相違点３）
　本願発明においては、ヘッド手段を記録媒体より離間した位置に移動させたときには、上記係合手段を「係合位置」に、上記ヘッド手段を上記記録媒体に近接する位置に移動させたときには上記係合手段を上記係合解除位置に移動させるのに対し、引用発明では、ヘッドを搭載したリニアアームが記録媒体より離間した位置にあるときには、係合レバー前端部はカムスライダの押片（１２ａ）の屈曲部後面（１２ａ１）と対向せず、すなわち係合解除された状態にあり、前記リニアアーム動作状態では係合レバー前端部はカムスライダの押片（１２ａ）の屈曲部後面（１２ａ１）と当接係合状態にある点。
（相違点４）
　本願発明では、前記ヘッドの移動と係合解除手段を移動させる「制御手段」とを備えるのに対し、引用発明ではリニアアームは、機械的に連動することで係合レバーを移動させるものである点。
　
４．判　断
（相違点１について）
　引用発明においても、ホルダー（１３）が上昇した位置ではトーションスプリング（２９）に抗して、係止突起１９がカムスライダー（１２）の円弧状摺接面（２５ｂ）と係止突起（２５ｃ）にロックされているとすることができる。ホルダーの下降した位置はロックが解除された位置である。すると、引用発明には、スプリングの付勢に抗してロックする機構、及びスプリングを自由とした状態で保持する機構のいずれもが開示されており、第１及び第２の状態のそれぞれにおいて、スプリングの付勢に抗してロックする機構とするか、スプリングを自由とした状態で保持する機構とするかは設計上のものであり、当業者が適宜選択可能な事項にすぎない。
　
（相違点２について）
　記録再生装置において、非動作時、ヘッドを上方位置に移動させることは、前記拒絶理由通知に引用した特開平４−２６８２２９号公報、特開平４−１３２５４号公報、特開昭６１−２９４３８号公報、特開平５−７３９８６号公報、及び特開平５−３６１９９号公報で例示したように周知事項にすぎないものであり、引用発明においても、「メカシャーシの外側」に代えて、「上方位置」とすることは当業者が容易に想到しうるものである。
　
（相違点３について）
　相違点３は、引用発明の係合レバー（１７）を本願発明の「係合手段」に対応させると、ヘッドの位置との関連において、イジェクトが可能な位置と不可の位置との対応関係が、イジェクトのために操作される部材に対して、係合位置と非係合位置とが本願発明と逆になっていることに帰着する。
　引用発明では、係合手段をイジェクト操作の阻止機構として用いるので係合位置がすなわちイジェクト不可の位置であるが、このような機構に代えて、例えば前置審査における拒絶理由に引用した実願平２−４８６８１号（実開平４−１２１５３号）のマイクロフィルムに開示されるように、小片３が排出釦１及び排出機構８に伝達するアーム２とに係合する状態をイジェクト可能状態とし、係合しない状態をイジェクト不可の状態とする機構を採用することで、引用発明においても、係合レバー１７を、前記小片３のようにイジェクト操作の伝達手段として用いることで、係合時にイジェクトを可能とし、係合解除時にイジェクトを不可とする機構は単なる設計変更であり、当業者が容易に想到しうるものである。
　
（相違点４について）
　イジェクト機構において、装置の動作状態に応じて制御することは、例えば前記実願平２−４８６８１号（実開平４−１２１５３号）のマイクロフィルムをはじめ、特開昭５７−１８１４８０号公報、及び特開平２−２７０１５８号公報に示される、誤ったイジェクトを防止する機構として記録再生装置においては周知の事項にすぎないから、引用発明においても機械的な連動機構に代えて制御手段を用いることは当業者が容易に想到しうるものである。
　
５．むすび
　以上のとおりであって、本願の請求項１に係る発明は、第１引用例に記載された発明に基づいて、周知事項も参酌することで当業者が容易に発明をすることができたものであるから、特許法第２９条第２項の規定により特許を受けることができない。
　したがって、本願はその余の請求項について論及するまでもなく、拒絶すべきものである。
　
　よって、結論のとおり審決する。